(57)【要約】【課題】容易に設置でき、高効率に雪、霜、氷を融解する融氷装置を提供する。【解決手段】融氷装置の遠赤外線発生器として、ハロゲンランプに遠赤外線放射セラミックスをコーティングされたものを使用する。これにより、設置スペースが小さく高効率・長寿命で、短時間で昇温を行うことができる。また、氷や雪の融解に効果的な約３μｍや約１０μｍの遠赤外線を大量に照射できるので、水分子の共振作用を誘発し水分子の共振現象により、路面上の氷や霜や積雪を効率良く融解することができる。さらに、遠赤外線発生器の長手方向の断面形状がＶ字形である仕切り反射板を、遠赤外線発生器を被覆するように設置して、遠赤外線の拡散を防止する。また、仕切り反射板に被覆された部分のフィラメントをコイル状に加工せずに直線状にして、他の部分をコイル状に加工して、利用できない遠赤外線の放射による電力の浪費を防止する。【選択図】  図４
2004172103.tif 000002
【特許請求の範囲】
【請求項１】
ハロゲンランプに遠赤外線放射セラミックスがコーティングされた遠赤外線発生器と、
上記遠赤外線発生器から放射された遠赤外線を所定の領域に反射する反射板と、を備えたことを特徴とする融氷装置。
【請求項２】
前記遠赤外線発生器は管型であり、
前記反射板は、前記遠赤外線発生器の長手方向の両端間における少なくとも一部に配置されて前記遠赤外線発生器から放射された遠赤外線を所定の領域に反射する仕切り反射板を含む請求項１に記載の融氷装置。
【請求項３】
前記反射板は、前記遠赤外線発生器の長手方向における一部を被覆し、
前記遠赤外線発生器は、前記仕切り反射板に被覆された部分の上記フィラメントを直線状に形成され、その他の部分のフィラメントをコイル状に形成された請求項１または２に記載の融氷装置。
【請求項４】
前記遠赤外線発生器は、２．５μｍ乃至１５μｍの波長域にピークを有する遠赤外線を放射する請求項１乃至３のいずれかに記載の融氷装置。
【請求項５】
前記反射板は、所定の曲率の曲げ加工が施された請求項１乃至４のいずれかに記載の融氷装置。
【請求項６】
前室を備えた冷凍倉庫であって、
請求項１乃至５のいずれかに記載の融氷装置を、前室の通路に向けて遠赤外線を放射するように設置したことを特徴とする冷凍倉庫。
【発明の詳細な説明】
【技術分野】
【０００１】
本発明は、ハロゲンランプに遠赤外線放射セラミックスがコーティングされ、点灯時に遠赤外線を放射して、雪、霜、氷などを融解する融氷装置、この融氷装置を備えた冷凍倉庫に関する。
【背景技術】
【０００２】
冬季に降雪の多い地域では、路面の凍結や残雪により車両や人の通行に障害が発生したり、積雪によりバス停、道路標識、公衆電話ボックスなど様々な構造物や機器の使用に制限が生じたりするなど、様々な問題が生じている。これらの問題の解決方法として、従来は路面下に電熱式の発熱体や温水循環パイプを埋設して路面を加温する方法が知られている（例えば、特許文献１参照。）。
【０００３】
しかし、これらの設備埋設型の融雪システムは、設備の施工に際して土木工事を伴うため、設備コストが高く、また、設備の故障時にも土木工事を伴うこともあるため、ランニングコストの面でも不経済であった。
【０００４】
このような問題に対して、遠赤外線を積雪面の上方から放射して凍結の防止や融雪する方法がある（例えば、特許文献２参照。）。
【０００５】
【特許文献１】特開平１０−２１２７０２号公報  （第２−３頁、第１図）
【特許文献２】特開平１１−２４１３０４号公報  （第４−７頁、第１−５図）
【発明の開示】
【発明が解決しようとする課題】
【０００６】
しかしながら、従来の方法では、遠赤外線の輻射体用の電熱手段として、ニクロム線などの電気抵抗発熱線を使用しているので、エネルギー効率が悪くランニングコストが高いため、不経済であるという問題があった。例えば、電気抵抗発熱線としてニクロム線を使用した場合の熱効率は、５０〜６０％である。
【０００７】
また、機器の構造上コンパクトなサイズになりにくいため、景観上も問題があるものが多かった。さらに、赤外線発生器にセラミックスヒータが使用された場合、融雪機器の電源投入から積雪の融解に有効な波長の遠赤外線が放射されるまでの立ち上がり時間が長いため、その間に降雪により積雪量が増加してしまい、融雪に長時間を要するという問題があった。
【０００８】
また、上記の問題は、冬季に降雪の多い地域だけでなく、食品などを冷凍保存する冷凍倉庫では１年を通して発生していた。冷凍倉庫は、例えば−２０℃や−５０℃といった一定温度に庫内が保たれており、庫内へ直接外気が入るのを防ぐために前室が設けられている場合がある。この前室内の壁や床には、外気に含まれる湿気が冷気で冷やされて結霜や結氷が発生して霜（氷）が付着し、その厚みが例えば５〜１５ｃｍにもなるという問題があった。また、前室のドアの開閉時には、そのときの振動で天井や壁に付着した霜が落下して通路に散乱し、搬送車（例えばフォークリフト）の移動時に落下してすぐに融解されなかった霜（氷）の固まりが本室内に運ばれてしまい、前室及び本室が大変滑りやすくなって搬送車がスリップするという問題があった。さらに、設備埋設型の融氷システムは、前記のように、設備コストやランニングコストが高いという問題があった。また、埋設型の融氷システムを使用すると、氷を溶かす際に床面から部屋全体を暖めることになり、前室の温度が例えば５〜１０℃も上昇するという問題があった。
【０００９】
そこで、本発明は、上記の問題を解決するために、容易に設置でき、高効率に雪、霜、氷を融解する融氷装置及びこの融雪装置を備えた冷凍倉庫を提供することを目的とする。
【課題を解決するための手段】
【００１０】
この発明は、上記の課題を解決するための手段として、以下の構成を備えてい
る。
【００１１】
（１）ハロゲンランプに遠赤外線放射セラミックスがコーティングされた遠赤外線発生器と、
上記遠赤外線発生器から放射された遠赤外線を所定の領域に反射する反射板と、を備えたことを特徴とする。
【００１２】
この構成においては、遠赤外線放射セラミックスがコーティングされたハロゲンランプを遠赤外線発生器として使用している。遠赤外線を放射するハロゲンランプは、光出力が一定しており、投入電力の７５〜９５％が光や熱に変換されて照射されるので、高効率である。また、他のランプと比べて設置スペースが小さく長寿命で、短時間で昇温を行うことができる。
【００１３】
また、ハロゲンランプにコーティングされた遠赤外線放射セラミックスは、ハロゲンランプから放射された可視光線や近赤外線を吸収して発熱し、遠赤外線を放射するので、高効率に遠赤外線を放射することができる。また、熱容量が小さいので、短時間で昇温を行うことができる。
【００１４】
さらに、融氷装置は反射板を備えているので、遠赤外線発生器から放射された遠赤外線を効率良く所定の領域に照射することができる。
【００１５】
したがって、設置スペースが小さく、高効率・長寿命で、短時間で昇温を行うことができ、従来の装置よりも効率良く氷や雪や霜を融解する融氷装置を提供できる。
【００１６】
（２）前記遠赤外線発生器は管型であり、
前記反射板は、前記遠赤外線発生器の長手方向の両端間における少なくとも一部に配置されて前記遠赤外線発生器から放射された遠赤外線を所定の領域に反射する仕切り反射板を含む。
【００１７】
この構成においては、遠赤外線発生器の長手方向の断面形状がＶ字形である仕切り反射板を、遠赤外線発生器を被覆するように設置している。管型の遠赤外線発生器の場合、遠赤外線発生器から放射された遠赤外線の一部は、融氷装置の直下の領域に照射されずに、融氷装置の側方部に拡散してしまう。そのため、遠赤外線を照射する領域が広くなり、融雪効率が低くなってしまう。本発明の融氷装置は、管型の遠赤外線発生器を被覆する位置に仕切り反射板を備えているので、遠赤外線発生器から放射された遠赤外線を所定の領域に照射するように制限でき、効率良く融雪することができる。
【００１８】
（３）前記反射板は、前記遠赤外線発生器の長手方向における一部を被覆し、
前記遠赤外線発生器は、前記仕切り反射板に被覆された部分の上記フィラメントを直線状に形成され、その他の部分のフィラメントをコイル状に形成されている。
【００１９】
遠赤外線発生器の仕切り反射板に被覆された部分は、積雪面に遠赤外線を放射することができないので、この部分から放射された遠赤外線は無駄になってしまう。本発明では、仕切り反射板に被覆された部分のフィラメントをコイル状に形成せずに直線状にしているので、この部分がコイル状に形成したフィラメントのように遠赤外線を放射するのを最小限に抑えることができる。したがって、利用できない遠赤外線の放射による電力の浪費を抑制できる。
【００２０】
（４）前記遠赤外線発生器は、２．５μｍ乃至１５μｍの波長域にピークを有する遠赤外線を放射する。
【００２１】
氷や雪や霜を溶かすのに好適な遠赤外線の波長は、約３μｍ及び約１０μｍである。この構成においては、遠赤外線発生器が放射する遠赤外線の２．５μｍ乃至１５μｍの波長域にピークがあるので、約３μｍ及び約１０μｍの遠赤外線を大量に放射して、雪や霜や氷を効率良く融解することができる。
【００２２】
（５）前記反射板は、所定の曲率の曲げ加工が施されている。
【００２３】
この構成においては、反射板や仕切り反射板が所定の曲率の曲げ加工が施されているので、積雪面に遠赤外線を照射する方向を適切に調節することが可能となり、融雪効率を向上させることができる。
【００２４】
（６）  前室を備えた冷凍倉庫であって、
（１）乃至（５）のいずれかに記載の融氷装置を、前室の通路に向けて遠赤外線を放射するように設置したことを特徴とする。
【００２５】
この構成においては、冷凍倉庫の前室の通路に向けて遠赤外線を放射する融雪装置を備えているので、前室の通路付近の霜や氷を遠赤外線で融解して、スリップ事故などを防止することができる。また、遠赤外線は、通路や通路上の霜や氷の表面で反射するので、通路だけでなく壁面や天井にも間接的に照射することができる。したがって、前室の通路だけでなく、側壁や天井など反射した遠赤外線が届く範囲の霜や氷を融解することが可能となる。さらに、前室の通路上の霜や氷を融解できるので、従来のように冷凍倉庫を出入りする搬送車によって冷凍倉庫の前室の霜や氷が本室内に入り込むのを防止できる。
【発明の効果】
【００２６】
本発明によれば、以下の効果が得られる。
【００２７】
（１）設置スペースが小さく、高効率・長寿命で、短時間で昇温を行うことができ、従来の装置よりも効率良く氷や雪や霜を融解する融氷装置を提供できる。
【００２８】
（２）本発明の融氷装置は、管型の遠赤外線発生器を被覆する位置に仕切り反射板を備えているので、遠赤外線発生器から放射された遠赤外線を所定の領域に照射するように制限でき、効率良く融氷することができる。
【００２９】
（３）本発明では、仕切り反射板に被覆された部分のフィラメントをコイル状に形成せずに直線状にしているので、この部分がコイル状に形成したフィラメントのように遠赤外線を放射するのを最小限に抑えることができ、これにより、利用できない遠赤外線の放射による電力の浪費を抑制できる。
【００３０】
（４）遠赤外線発生器が放射する遠赤外線の２．５μｍ乃至１５μｍの波長域にピークがあるので、氷や雪を溶かすのに好適な遠赤外線の波長である約３μｍ及び約１０μｍの遠赤外線を大量に放射して、雪や氷を効率良く融解することができる。
【００３１】
（５）反射板や仕切り反射板が所定の曲率の曲げ加工が施されているので、積雪面に遠赤外線を照射する方向を適切に調節することが可能となり、融雪効率を向上させることができる。
【００３２】
（６）冷凍倉庫前室の通路付近の霜や氷を遠赤外線で融解して、スリップ事故などを防止することができる。また、通路だけでなく、側壁や天井など反射した遠赤外線が届く範囲の霜や氷を融解することができる。
【発明を実施するための最良の形態】
【００３３】
まず、本発明の実施形態に係る融氷装置の概略を説明する。ここで、以下の説明では雪や霜を溶かすことも融氷という。本発明の融氷装置は、雪や霜や氷に遠赤外線を照射してこれらを融解させる。遠赤外線は電磁波であり、空気の流れの影響を受けない。また、遠赤外線の照射を受けた物質自体が電磁波（遠赤外線）の吸収によって発熱する。さらに、物質により吸収する波長と吸収率が異なり、加熱されやすいものと加熱されにくいものがある。また、空気を加熱しにくいので熱損失が少ない。また、本発明の融氷装置は、上記のような特徴を有する遠赤外線を放射する遠赤外線発生器として、ハロゲンランプに遠赤外線放射セラミックスをコーティングされたものを使用する。これにより、設置スペースが小さく高効率・長寿命で、短時間で昇温を行うことができる融氷装置を提供できる。また、本発明の融氷装置は、氷や雪や霜の融解に効果的な約３μｍや約１０μｍの遠赤外線を大量に放射するので、水分子の共振作用を誘発し水分子の共振現象により、路面上の氷や霜や積雪を効率良く融解することができる。このように、本発明は、例えば壁面や照明灯の設置ポールなど所定の位置に設置して、氷や雪や霜の融解に効果的な遠赤外線を効率良く発生・照射させることで、従来の装置よりも効率良く氷や雪や霜を融解でき、土木工事を行うことなく容易に設置することができるの融氷装置を提供するものである。
【００３４】
以下、本発明の実施形態に係る融氷装置について、図を参照しながら詳細に説明する。図１は、本発明の実施形態に係る融氷装置の外観図である。図２は、本発明の実施形態に係る融氷装置の正面透視図である。図３は、本発明の実施形態に係る融氷装置のＡ−Ａ断面図である。
【００３５】
図１〜図３に示したように、融氷装置１は、一例として、長手方向の断面が台形で、１面が開口している筐体２の内側に、管型（棒状）の遠赤外線発生器３を備えている。融氷装置１は、遠赤外線発生器３から放射された遠赤外線を筐体２の開口部から照射するために、断面がＵ字型で、開口部が筐体２の開口部とほぼ一致するように配置された反射板４を備えている。また、筐体２の内側における長手方向の両端部に、側面反射板５及び側面反射板６を備えている。さらに、融氷装置１は、遠赤外線発生器３のほぼ中央部に、断面がＶ字型で筐体２の開口部側に凸である仕切り反射板７を備えている。遠赤外線発生器３は、この仕切り反射板７を貫通しており、遠赤外線発生器３の一部が仕切り反射板７によって被覆されている。また、融氷装置１は、筐体２の開口部に格子状の防護網８を備えている。反射板４、側面反射板５、側面反射板６、及び仕切り反射板７の裏面には、断熱材９が取り付けられている。
【００３６】
遠赤外線発生器３は、ハロゲンランプに黒色の遠赤外線放射セラミックスがコーティングされている。ハロゲンランプは、石英ガラスで作られたバルブ内のほぼ中央部に、タングステンを材料とするフィラメントが配置され、ハロゲンガスと、アルゴンや窒素などの不活性ガスと、が封入されている。また、ハロゲンランプは、以下のような特徴がある。
【００３７】
１．ハロゲンランプのフィラメントは、熱容量が小さく、セラミックスヒータやニクロム線コイルを備えた赤外線ヒータなど他の遠赤外線ヒータと比べて、数倍以上のスピードで昇温を行うことができる。
【００３８】
２．ハロゲンランプは、断線するまで一定した光出力が得られ、ハロゲンサイクルによってバルブ壁に黒化が生じず、光出力や色温度の減衰が少ない。
【００３９】
３．ハロゲンランプは、一般的な白線電球に比べて、数十分の一の大きさでコンパクトである。
【００４０】
４．ハロゲンランプは、バルブに石英ガラスを使用しているため、熱衝撃に極めて強い。
【００４１】
５．投入電力の７５〜９５％が光と熱に変換され、そのうち６〜１２％が可視光で残りが赤外線であり、エネルギー効率が高い。
【００４２】
また、ハロゲンランプにコーティングされた遠赤外線放射セラミックスは、ハロゲンランプから放射された可視光線や近赤外線を吸収して発熱し、２．５μｍから１５μｍの波長領域にピークを有する遠赤外線を放射する。例えば、約３μｍ及び約６μｍがピーク値である遠赤外線を放射する。また、氷や雪や霜を融解するのに好適な遠赤外線の波長は、約３μｍ及び約１０μｍである。遠赤外線発生器３が放射する遠赤外線は、上記のように約３μｍ及び約６μｍにピーク値を有しているので、約３μｍ及び約１０μｍの遠赤外線の放射輝度も高い。したがって、氷や雪を融解するのに好適な遠赤外線を大量に照射して、効率良く氷や雪や霜を融解できる。また、ハロゲンランプのフィラメントと同様に熱容量が小さいので、短時間で昇温を行うことができる。
【００４３】
また、遠赤外線発生器３は、管型であるので、球型などの赤外線発生器よりも積雪面に大量の遠赤外線を照射できる。これは、球型の遠赤外線発生器の場合、放射した遠赤外線が反射板で反射して遠赤外線発生器自身に戻ってしまう量が多いが、管型の遠赤外線発生器の場合、放射した遠赤外線が反射板で反射してほとんど遠赤外線発生器自身に戻ることなく、積雪面に照射することができるからである。
【００４４】
反射板４は、図３に示したように所定の曲率の曲げ加工が施されており、遠赤外線発生器３から放射された遠赤外線を融氷装置１の開口部から所定の領域に照射する。例えば、図３に示したように曲げ加工した場合、遠赤外線の放射角を融氷装置１の縦方向（垂直方向）に対して２０°以内に制限することができる。なお、反射板４の曲率は、融氷装置１のサイズや遠赤外線を照射する領域の大きさに応じて変わるために、計算や実験によって求めると良い。
【００４５】
側面反射板５、側面反射板６、仕切り反射板７は、融氷装置１の長手方向における遠赤外線の照射領域を設定した傾斜角に応じて制限する。例えば、図２に示したように、側面反射板５及び側面反射板６に加えて仕切り反射板７を設けて、各反射板を融氷装置１の縦方向（垂直方向）に対して２０°の傾斜面となるようにすることで、遠赤外線の放射角を融氷装置１の縦方向（垂直方向）に対して３０°以内に制限することができる。
【００４６】
反射板４、側面反射板５、側面反射板６、及び仕切り反射板７の材質は、アルミなどの金属またはアルミなどの金属皮膜を擁したもので、遠赤外線の反射率を高めるために化学処理や電解処理が施されたもの、または機械的に研磨されたものが望ましい。また、側面反射板５、側面反射板６、及び仕切り反射板７は、反射板４と同様に、所定の曲率の曲げ加工が施すようにしても良い。これにより、遠赤外線の照射領域を調整することができる。
【００４７】
防護網８は、融氷装置１の遠赤外線発生器３や反射板４など、遠赤外線発生器３に通電時に加熱された部分を人が触るのを防ぐためのものである。
【００４８】
図４は、仕切り反射板の有無による遠赤外線の照射領域の違いを示した図である。図４（Ａ）に示したように、融氷装置１に仕切り反射板７を設けない場合、融氷装置１の側方部まで遠赤外線を照射してしまうという問題がある。この場合、仕切り反射板７を設けずに、融氷装置１の高さを長くして、融氷装置１の開口部から遠赤外線発生器３の設置位置までの距離を長くすることで、上記の問題を防止できる。しかしながら、融氷装置１が大型化してしまう。
【００４９】
一方、図４（Ｂ）に示したように、融氷装置１に仕切り反射板７を設けた場合、図４（Ａ）に示した場合と比べて、遠赤外線の照射領域を狭くすることができる。したがって、単位面積当たりの遠赤外線の照射量を増加させることができ、効率良く氷や雪を融解することができる。また、融氷装置１を大型化させずに、コンパクトにすることができる。
【００５０】
本発明の融氷装置１では、上記のように仕切り反射板７を遠赤外線発生器３のほぼ中央部に設けたので、仕切り反射板７に被覆される部分から遠赤外線を放射しても無駄になってしまう。そこで、本発明の融氷装置１では、遠赤外線発生器３の仕切り板に被覆される部分のフィラメント１０を、遠赤外線を放射しにくい構造にしている。
【００５１】
図５は、遠赤外線発生器（ハロゲンランプ）の概略の断面図である。図５に示したように、本発明では、遠赤外線を放射するフィラメント１０ａ、１０ｂをコイル状に加工している。また、仕切り反射板７に被覆される部分のフィラメント１０ｃをコイル状に加工せずに直線状にしている。直線状のフィラメント１０ｃは、通電しても熱が逃げやすく温度が上昇しにくい。しかし、コイル状のフィラメント１０ａ、１０ｂは、隣接するフィラメントが互いに加熱し、熱の発散を防止することができるので、急速に温度を上昇させることができる。したがって、フィラメントを上記のように加工しているので、フィラメント１０ｃからの光や熱の放射を抑制して遠赤外線の無駄な放射を防止できる。
【００５２】
なお、融氷装置１において、仕切り反射板７の内側には遠赤外線発生器３を設けずに、２本の遠赤外線発生器を設けることもできる。しかしながら、図に示した遠赤外線発生器３を２本に分けた場合、遠赤外線発生器の製造コストが上昇するため、融氷装置１全体のコストアップにつながってしまう。これに対して、上記のように遠赤外線発生器３のフィラメントの一部を直線状に加工する方がコストは低くくなる。そのため、本発明では、１本の遠赤外線発生器３のほぼ中央部に仕切り反射板７を設けている。
【００５３】
次に、（Ａ）融氷装置１に仕切り反射板７を設けずに遠赤外線発生器３のフィラメントを加工しなかった場合と、（Ｂ）融氷装置１に仕切り反射板７を設けて遠赤外線発生器３のフィラメントを加工した場合と、の放射照度（単位面積当たりの放射エネルギー）について説明する。図６は、融氷装置の中央部における遠赤外線の放射角度を示した図である。表１は、融氷装置１の中央部での放射角度に応じた放射照度を示している。なお、表１には、７５０Ｗのハロゲンランプに黒色の遠赤外線放射セラミックスをコーティングした遠赤外線発生器３を使用して、融氷装置１の遠赤外線放射面の中央部から２．５ｍの位置における放射照度を示している。また、本発明の融氷装置１では一例として０〜３０°で１００Ｗ／ｍ2以上となるように、各反射板を融氷装置１の縦方向（垂直方向）に対して ２０°の傾斜面となるように調整している。また、融氷装置１の遠赤外線の放射角度に対する放射照度は、融氷装置１の長手方向における左右方向ともほぼ同様であるので、一方のみを示している。
【００５４】
【表１】
2004172103.tif 000003
【００５５】
表１の（Ａ）に示したように、融氷装置１に仕切り反射板７を設けずに遠赤外線発生器３のフィラメントを加工しなかった場合、０°〜３０°で放射照度が１００Ｗ／ｍ2以下であった。また、４０°〜６０°では、放射照度が４０．６〜 １３．９Ｗ／ｍ2であった。このように、照射した遠赤外線が拡散しているため 、０〜３０°で放射照度を１００Ｗ／ｍ2以上にすることができなかった。
【００５６】
一方、表１の（Ｂ）に示したように、融氷装置１に仕切り反射板７を設けて遠赤外線発生器３のフィラメントを上記のように加工した場合、０°〜３０°で放射照度が１００Ｗ／ｍ2以上となった。また、４０°以上では急激に放射照度が 低下していることがわかる。このように、融氷装置１に仕切り反射板７を設けることにより、照射した遠赤外線の拡散を防止して０〜３０°の領域に集めることができるので、０〜３０°の放射照度を１００Ｗ／ｍ2以上にすることができた 。
【００５７】
なお、以上の説明では、遠赤外線発生器３のほぼ中央部に仕切り反射板７を設けた融氷装置１を例に挙げて説明したが、本発明の融氷装置１はこの構成に限るものではない。すなわち、融氷装置のサイズや遠赤外線発生器３のサイズや、遠赤外線を照射する領域の大きさ、及びエネルギー効率に応じて、仕切り反射板を複数設けても良い。図７は、複数の仕切り反射板を備えた融氷装置の概観図である。例えば、図７に示したように、融氷装置のサイズや遠赤外線発生器３のサイズを大きくした場合には、仕切り反射板７を複数設けることで、遠赤外線の照射領域を制限できる。この時、仕切り反射板７に被覆された遠赤外線発生器３のフィラメントは、コイル状に加工せずに直線状に加工すると、遠赤外線の無駄な放射を防止して、エネルギー効率を改善できる。
【００５８】
なお、図７に示した融氷装置において、複数の遠赤外線発生器３を使用した方が１つの遠赤外線発生器３を使用するよりもコストが低い場合は、仕切り反射板７の内側に遠赤外線発生器３を設けずに、複数の遠赤外線発生器を設けると良い。
【００５９】
次に、本発明の融氷装置１の融雪実験結果について説明する。本発明の融氷装置２機を除雪した路面から２．５ｍの位置に設置した。そして、［条件１］気温−２℃、降雪量２ｃｍ／時間の時と、［条件２］気温−７℃、降雪量３ｃｍ／時間の時と、に除雪した路面に対して垂直に遠赤外線を照射して実験を行った。
【００６０】
その結果、［条件１］の時には、９ｍ2の領域において積雪や凍結の発生を防 止できた。また、［条件２］の時には、４ｍ2の領域において積雪や凍結の発生 を防止できた。このように、本発明の融氷装置１を用いることで、効率良く融雪を行うことができた。
【００６１】
なお、融氷装置１において、遠赤外線発生器３の管型形状は、棒状に限るものではなく、他の形状でももちろん良い。例えば、サークル型（ドーナツ型）の遠赤外線発生器を用いることで、融氷装置のサイズをさらに小さくすることができる。また、この構成では、遠赤外線発生器用の反射板を、断面がＵ字型の円環にして、遠赤外線発生器と所定の間隔を空けて対向するように配置し、遠赤外線発生器から放射された遠赤外線を所定の領域に照射させる。これにより、遠赤外線が拡散するのを防止して、効率良く積雪面の所定の照射領域に遠赤外線を照射できる。
【００６２】
なお、上記の説明において示した融氷装置１の各反射板の傾斜角は一例であって、本発明は上記の傾斜角に限定するものではない。すなわち、融氷装置１のサイズや遠赤外線を照射する領域の大きさに応じて、各反射板の傾斜角を変更すると良い。
【００６３】
次に、本発明の融氷装置１を冷凍倉庫に設けた構成について説明する。以下の説明では、庫内へ外気が直接侵入するのを防止する前室を備えた構成の冷凍倉庫について説明する。前室を備えた冷凍倉庫では、本室に直接外気（湿気）が入るのを防止できるが、前記のように前室内に結霜や結氷や落氷が生じ、搬送車がスリップしたり本室の床にも氷が散乱したりするため対策が必要であった。そこで、本発明の融氷装置１を冷凍倉庫の前室に設けて、霜や氷を融解するように対策した。
【００６４】
図８は、冷凍倉庫の前室の正面透視図、及び冷凍倉庫の構成を示す上面図である。図８（Ａ）に示すように、具体的には、冷凍倉庫の前室の天井から本発明の融氷装置１を吊り下げて、融氷装置１から前室の通路に遠赤外線を放射するように配置した。このように、冷凍倉庫の前室に融氷装置１を設けることで、融氷装置１から放射された遠赤外線によって、前室の通路の霜や氷を融解することができる。また、融氷装置１から通路に向けて放射された遠赤外線は、通路や霜や氷の表面で反射するので、融氷装置１から遠赤外線を放射する床面だけでなく前室の側壁や天井に付着した霜（氷）を融解することができる。
【００６５】
次に、本発明の融氷装置を備えた冷凍倉庫の一実施例を説明する。図８（Ｂ）に示すように、冷凍倉庫２０は、本室２１と前室２２から成り、本室２１は広さ３００ｍ2 、天井高５ｍで、庫内の設定温度は−２５℃である。前室２２は、広さ１０ｍ2 、天井高２．８ｍで、庫内の設定温度は−１５〜１８℃である。前室２２の入り口には、搬送車が近づくと自動的に開く自動ドア３１と、外気の侵入を抑制するエアカーテン３２と、が設けられている。また、融氷装置１の取り付け前には、前室２２の床の通路部分（幅２ｍ×長さ３．５ｍ）２３に、電熱線からなる融氷システム３３が埋設されている。さらに、本室２１と前室２２との間には、ビニールカーテン３４が取り付けられている。また、冷凍倉庫２０における荷物の出し入れは、例えば９時から１７時まで行われるので、自動ドア３１、エアカーテン３２、及び融氷システム３３を業務時間中には常に動作させ、これ以外の時間は停止させていた。
【００６６】
このような状況下において、前室内の側壁及び天井には厚さ５ｃｍ〜１５ｃｍの霜がほぼ全体に付着しており、定期的に霜の除去を行っていた。また、始業前には、床の通路部分には厚さ０〜０．５ｃｍの霜（氷）が付着し、床のその他の部分には厚さ０．５〜５ｃｍの霜が付着していた。
【００６７】
冷凍倉庫の前室に融氷装置１を取り付ける際に、前室内の霜や氷は全て除去した。また、融氷装置１は、前室の通路全体に遠赤外線が放射されるように、下面の高さが床から２．５ｍの位置に、２台の融氷装置１を通路の上部（真上）に、前室の中央からそれぞれ０．５ｍずつ離れた位置に吊り下げた。さらに、自動ドア３１、エアカーテン３２、及び融氷装置１を業務時間中には常に動作させ、これ以外の時間は停止させ、埋設型の融氷システムは全く動作させなかった。
【００６８】
その結果、前室内の温度は設定温度（−１８℃）に対して約２℃上昇したが、埋設型の融氷システムのみを使用していた時よりも前室内の上昇温度は低かった。また、通路には全く霜や氷が付着しなくなり、床の他の部分、天井、側壁には、隅の一部以外霜や氷が付着しなくなった。これにより、従来は前室のドアの開閉時にその振動で通路に落氷が発生していたが、全く落氷が無くなり搬送車の移動時に本室内に氷が運ばれなくなった。この結果は、梅雨や真夏など湿度の高い時期でも同様であった。
【００６９】
このように、本発明の融氷装置１を冷凍倉庫の前室に設けることで、前室の結霜や結氷の発生をほぼ無くすことができた。これにより、搬送車のスリップ事故を防止することができる。また、融氷装置１の遠赤外線発生器３は容易に交換できるので、メンテナンス性を向上させることができる。
【図面の簡単な説明】
【００７０】
【図１】本発明の実施形態に係る融氷装置の外観図である。
【図２】本発明の実施形態に係る融氷装置の正面透視図である。
【図３】本発明の実施形態に係る融氷装置のＡ−Ａ断面図である。
【図４】仕切り反射板の有無による遠赤外線の照射領域の違いを示した図である。
【図５】遠赤外線発生器（ハロゲンランプ）の概略の断面図である。
【図６】融氷装置の中央部における遠赤外線の照射角度を示した図である。
【図７】複数の仕切り反射板を備えた融氷装置の概観図である。
【図８】冷凍倉庫の前室の正面透視図、及び冷凍倉庫の構成を示す上面図である。
【符号の説明】
【００７１】
１−融氷装置
２−筐体
３−遠赤外線発生器
４−反射板
５，６−側面反射板
７−仕切り反射板
８−防護網
９−断熱材
【図１】
2004172103.tif 000004
【図２】
2004172103.tif 000005
【図３】
2004172103.tif 000006
【図４】
2004172103.tif 000007
【図５】
2004172103.tif 000008
【図６】
2004172103.tif 000009
【図７】
2004172103.tif 000010
【図８】
2004172103.tif 000011